(57)【要約】【課題】レンズホルダ等をレンズ鏡筒内に収納する作業を効率的に行う。【解決手段】第２レンズホルダ３５等にガイド軸３９ａ，３９ｂを組み付ける。そして、第１案内溝２８ａ，２８ｂ及び第２案内溝２９ａ，２９ｂにガイド軸３９ａ，３９ｂを挿入する。第１当接面２８ｃ，２８ｄ及び第２当接面２９ｃ，２９ｄにガイド軸３９ａ，３９ｂを当接させて蓋をネジ止めすると、第２レンズ等の位置決めが行われる。本発明によれば、このように簡単な方法でガイド軸３９ａ，３９ｂを筐体２２に収納でき、ガイド軸３９ａ，３９ｂの位置決めが行われるので、機械によって上述した作業を行うことが可能になる。したがって、レンズユニットを効率的に組み立てることが可能になる。【選択図】図４
2007108510.tif 000002
【特許請求の範囲】
【請求項１】
複数のレンズ群と、各レンズ群の光軸方向への移動をガイドするガイド軸と、前記複数のレンズ群及び前記ガイド軸を収納する筐体とを備えたレンズユニットにおいて、
前記筐体は、
前記複数のレンズ群を保持する複数のレンズホルダを前記ガイド軸に組み付けた状態で、前記光軸と略垂直な方向から、前記ガイド軸を挿入することが可能な開口部と、前記開口部から挿入された前記ガイド軸を保持する第１保持部と、
前記開口部を閉塞する蓋とを備えたことを特徴とするレンズユニット。
【請求項２】
前記筐体は、シャッタユニットを保持する第２保持部を備え、前記シャッタユニットは、前記ガイド軸に組み付けられた状態で前記第２保持部に挿入されることを特徴とする請求項１記載のレンズユニット。
【請求項３】
前記第１保持部は、少なくとも前記ガイド軸の両端部を保持することを特徴とする請求項１又は２記載のレンズユニット。
【請求項４】
前記筐体は、前記ガイド軸を前記開口部から前記第１保持部に案内する案内部材を備えていることを特徴とする請求項１ないし３のいずれか一に記載のレンズユニット。
【請求項５】
前記案内部材は、前記第１保持部に連設された案内溝であることを特徴とする請求項４記載のレンズユニット。
【請求項６】
前記案内溝は、その幅が前記ガイド軸の軸径と略同一になるように形成されていることを特徴とする請求項５記載のレンズユニット。
【請求項７】
前記案内溝は、その幅が前記ガイド軸の軸径よりも広くなるように形成されていることを特徴とする請求項５記載のレンズユニット。
【請求項８】
前記蓋は、前記開口部を閉塞するように取り付けた時に、前記ガイド軸の前記開口部側への移動を規制する規制部材を有することを特徴とする請求項１ないし７のいずれか一に記載のレンズユニット。
【請求項９】
複数のレンズ群と、各レンズ群の光軸方向への移動をガイドするガイド軸と、前記複数のレンズ群及び前記ガイド軸を収納する筐体とを備えたレンズユニットの組み立て方法において、
前記複数のレンズ群を保持する複数のレンズホルダを前記ガイド軸に組み付け、前記ガイド軸を挿入することが可能な開口部から前記ガイド軸を保持する第１保持部に向けて前記ガイド軸を挿入し、前記開口部を閉塞する蓋を前記筐体に取り付けることを特徴とするレンズユニットの組み立て方法。
【発明の詳細な説明】
【技術分野】
【０００１】
本発明は、筐体に設けた開口部からレンズ等を収納するようにしたレンズユニット、及びそのレンズユニットの組み立て方法に関する。
【背景技術】
【０００２】
ＣＣＤ等のイメージセンサを用いて撮影した画像データをメモリカード等の記録媒体に記録させるデジタルカメラが普及している。近年、デジタルカメラは、光学ズームの高倍率化等の進歩が求められる一方で、手軽に携帯することができるように小型化及び薄型化することが求められている。このため、各カメラメーカーでは、デジタルカメラをより小型化及び薄型化しながら高性能化することが課題の一つになっている。
【０００３】
デジタルカメラを小型化及び薄型化するための方法としては、例えば水平な光軸に沿って入射した被写体光をプリズム等で反射させて、水平な光軸に対して垂直になるように光軸を屈曲させ、屈曲された光軸上にズーム用のレンズやオートフォーカス用のレンズ、シャッタユニットを配置することが知られている。これによって、各々のレンズやシャッタユニットを水平な光軸上に直線的に並べて配置した場合に比べ、デジタルカメラの厚みを薄くすることができる。
【０００４】
ズーム用のレンズやオートフォーカス用のレンズは、それぞれレンズホルダに保持されている。これらのレンズホルダは、シャッタユニットとともに、軸方向が屈曲後の光軸方向と平行になるように配置されている２本のガイド軸に組み付けられている。これらのガイド軸は、筐体に設けられている位置決め用の穴にガイド軸の端部を挿入することによってレンズの位置決めを行っている。レンズユニットを組み立てる場合には、各レンズホルダ及びシャッタユニットをガイド軸に予め組み付けた状態にしておき、位置決め用の穴にガイド軸を挿入する方法や、ガイド軸を位置決め用の穴に挿入して固定した後に、各レンズホルダ及びシャッタユニットを組み付ける方法等がある。
【０００５】
しかし、これらの場合には、ガイド軸を挿入する時に位置決め用の穴の位置を視認することが困難であるため、レンズユニットを組み立てる時の作業が煩雑になるという問題や、ガイド軸を挿入するときに筐体の内壁面や穴の縁にガイド軸を当ててしまい、筐体を傷つけてしまうという問題があった。
【０００６】
そこで、このような問題を解決するための方法として、レンズユニットを組み立てる際には、一方のガイド軸及び穴の位置関係が視認できるようにレンズユニットに開口部を設けておき、他方のガイド軸が挿入される穴をすり鉢状にすることによって、筐体にガイド軸を挿入しやすくするレンズユニットが公開されている（例えば、特許文献１）。
【特許文献１】特開平８−２４８２８３号公報
【発明の開示】
【発明が解決しようとする課題】
【０００７】
しかしながら、特許文献１の場合には、レンズユニットを組み立てる時には、開口部から筐体の内部を覗いて、ガイド軸及び位置決め用の穴の位置を視認しながらガイド軸を位置決め用の穴に挿入することが必要となる。このため、レンズユニットを組み立てる作業を自動化することが難しく、作業の効率化が図れないという問題がある。
【０００８】
本発明は、上記問題点に鑑みてなされたものであり、機械によっても容易に組み立てることができる構造のレンズユニットを提供することを目的とする。
【課題を解決するための手段】
【０００９】
上記問題点を解決するにあたり、本発明のレンズユニットは、複数のレンズ群と、各レンズ群の光軸方向への移動をガイドするガイド軸と、前記複数のレンズ群及び前記ガイド軸を収納する筐体とを備えたレンズユニットにおいて、前記筐体は、前記複数のレンズ群を保持する複数のレンズホルダを前記ガイド軸に組み付けた状態で、前記光軸と略垂直な方向から、前記ガイド軸を挿入することが可能な開口部と、前記開口部から挿入された前記ガイド軸を保持する第１保持部と、前記開口を閉塞する蓋とを備えたことを特徴とする。
【００１０】
なお、前記筐体は、シャッタユニットを保持する第２保持部を備え、前記シャッタユニットは、前記ガイド軸に組み付けられた状態で前記第２保持部に挿入されることが好ましい。
【００１１】
また、前記第１保持部は、少なくとも前記ガイド軸の両端部を保持することが好ましい。
【００１２】
また、前記筐体は、前記ガイド軸を前記開口部から前記第１保持部に案内する案内部材を備えていることが好ましい。
【００１３】
また、前記案内部材は、前記第１保持部に連設された案内溝であることが好ましい。
【００１４】
また、前記案内溝は、その幅が前記ガイド軸の軸径と略同一になるように形成されていることが好ましい。
【００１５】
また、前記案内溝は、その幅が前記ガイド軸の軸径よりも広くなるように形成されていることが好ましい。
【００１６】
また、前記蓋は、前記開口部を閉塞するように取り付けた時に、前記ガイド軸の前記開口部側への移動を規制する規制部材を有することが好ましい。
【００１７】
また、上記問題点を解決するにあたり、本発明のレンズユニットの組み立て方法は、複数のレンズ群と、各レンズ群の光軸方向への移動をガイドするガイド軸と、前記複数のレンズ群及び前記ガイド軸を収納する筐体とを備えたレンズユニットの組み立て方法において、前記複数のレンズ群を保持する複数のレンズホルダを前記ガイド軸に組み付け、前記ガイド軸を挿入することが可能な開口部から前記ガイド軸を保持する第１保持部に向けて前記ガイド軸を挿入し、前記開口部を閉塞する蓋を前記筐体に取り付けることを特徴とする。
【発明の効果】
【００１８】
本発明によれば、複数のレンズ群を保持する複数のレンズホルダをガイド軸に組み付けた状態でレンズ群の光軸と略垂直な方向から筐体に収納するので、筐体の底面側からガイド軸を予め筐体に取り付けた後にレンズホルダ等を組み付ける場合や、ガイド軸にレンズホルダ等を組み付けた状態で筐体に収納する場合よりも、作業を効率的に行うことが可能になる。また、本発明によれば、レンズ群等の位置決めの精度は第１保持部の位置精度によって決定し、手作業で位置決めを行う必要がない。このため、機械を使用してレンズホルダ等を筐体に収納した場合であっても、レンズ群等の位置決めの精度のバラツキを減少させることができる。したがって、ガイド軸等の収納作業を機械により行うことができるようになるので、この作業を効率的に行うことが可能になり、レンズユニットを大量生産することが可能になる。
【発明を実施するための最良の形態】
【００１９】
本発明を適用したデジタルカメラについて説明する。図１及び図２に示すように、デジタルカメラ１１は、カメラボディ１２の高さ方向に長いレンズユニット１３がカメラボディ１２の内部に組み込まれて構成されている。カメラボディ１２の前面には、後述する前レンズ２５、ストロボ発光部１４等が設けられている。また、カメラボディ１２の上面には、電源スイッチ１５及びレリーズボタン１６が設けられている。また、カメラボディ１２の背面には、ズームレンズとして機能する、後述する第２レンズ６１をテレ側、ワイド側に変倍させるズーム操作ボタン１７、デジタルカメラ１１の各種操作及び設定を行う十字操作ボタン１８並びにフレーミング及び撮影時におけるリアルタイム画像や、再生画像等を表示する液晶パネル１９が設けられている。
【００２０】
図３に示すように、レンズユニット１３は、プリズム収納部２１、筐体２２及び蓋２３を備えており、筐体２２の前面に蓋２３がネジ２４によってネジ止めされるようになっている。プリズム収納部２１は、筐体２２の上部に設けられている。また、プリズム収納部２１は、略三角形状のフレームによって構成されており、その内部には、断面が三角形状をしており、略水平方向の第１光軸Ｌ１を水平方向から略垂直に屈曲して第２光軸Ｌ２とするプリズム（図示せず）が配置されている。また、プリズム収納部２１の前面には、前レンズ２５が嵌め込まれたレンズ枠２６が取り付けられる。なお、図示していないが、プリズム収納部２１の下部には図示しない第１レンズが設けられている。
【００２１】
図４に示すように、筐体２２は、凸型を横に傾けた形状であって、その前面に開口部２７が形成されている。筐体２２は、第１案内溝２８ａ，２８ｂ、第２案内溝２９ａ，２９ｂ及びシャッタユニット取付部３０を備えている。また、筐体２２には、蓋２３を取り付ける際に使用されるネジ穴３１が設けられている。また、筐体２２の内部には、駆動装置３２，３３及びＣＣＤ３４が設けられている。なお、この筐体２２は、第２レンズホルダ３５、第３レンズホルダ３６、シャッタユニット３７、及び第４レンズホルダ３８がガイド軸３９ａ，３９ｂに組み付けられた状態で収納されるような大きさに形成されている。
【００２２】
第１案内溝（案内部材）２８ａ，２８ｂは、筐体２２の底面２２ａに設けられている。筐体２２の底面２２ａには段差が設けられており、底面２２ａの位置が高くなっているところには、ＣＣＤ３４が配設されるスペース、並びに第１案内溝２８ａ，２８ｂ及び第１当接面２８ｃ，２８ｄが形成されている。
【００２３】
第１案内溝２８ａ，２８ｂは、後述するガイド軸３９ａ，３９ｂが挿入された時に、ガイド軸３９ａ，３９ｂにガタツキが生じないような幅になるように形成されている。また、第１案内溝２８ａ，２８ｂの奥側には、ガイド軸３９ａ，３９ｂの下端部の側面と当接する第１当接面（第１保持部）２８ｃ，２８ｄが、それぞれ第１案内溝２８ａ，２８ｂと連設するように設けられている。第１当接面２８ｃ，２８ｄは、ガイド軸３９ａ，３９ｂの側面と略同一の弧を描くように形成されている。第１案内溝２８ａ，２８ｂ及び第１当接面２８ｃ，２８ｄを上側から見た場合には、その形状は、筐体２２の開口部２７から奥側に向けてＵ字状になるように形成されている。また、第１当接面２８ｃ，２８ｄは、ガイド軸３９ａ，３９ｂがそれぞれ奥側まで挿入されたときには、後述する第２レンズ６１等の光軸と第２光軸Ｌ２とが一致するように位置付けるように形成されている。
【００２４】
第２案内溝（案内部材）２９ａ，２９ｂ及び第２当接面（第１保持部）２９ｃ，２９ｄは、筐体２２の天井面２２ｂであって、第１案内溝２８ａ，２８ｂ及び第１当接面２８ｃ，２８ｄの真上に位置するように形成されている。図４においては、第２案内溝２９ａ，２９ｂ及び第２当接面２９ｃ，２９ｄは、プリズム収納部２１の両端に位置するように形成されている。第２案内溝２９ａ，２９ｂは、ガイド軸３９ａ，３９ｂが挿入された時に、ガイド軸３９ａ，３９ｂにガタツキが生じないような幅になるように形成されている。
また、第２案内溝２９ａ，２９ｂの奥側には、ガイド軸３９ａ，３９ｂの上端部の側面と当接する第２当接面（第１保持部）２９ｃ，２９ｄが、それぞれ第２案内溝２９ａ，２９ｂと連設するように設けられている。第２当接面２９ｃ，２９ｄは、ガイド軸３９ａ，３９ｂの側面と略同一の弧を描くように形成されている。第２案内溝２９ａ，２９ｂ及び第２当接面２９ｃ，２９ｄを下側から見た場合には、その形状は、筐体２２の開口部２７から奥側に向けてＵ字状になるように形成されている。また、第２当接面２９ｃ，２９ｄは、ガイド軸３９ａ，３９ｂがそれぞれ奥側まで挿入されたときには、後述する第２レンズ６１等の光軸と第２光軸Ｌ２とが一致するように位置付けるように形成されている。
【００２５】
シャッタユニット取付部（第２保持部）３０は、筐体２２の内側面２２ｃ，２２ｄに形成されており、後述するシャッタユニット３７の第２光軸Ｌ２の光軸方向における位置決めを行う。シャッタユニット取付部３０は、内側面２２ｃ，２２ｄから筐体２２の内部に向けて、突出片３０ａ，３０ｂが突出するように形成されている。これらの突出片３０ａ，３０ｂは、後述するシャッタユニット３７のベース板３７ａが挿入され、かつ筐体２２の内部にシャッタユニット３７が収納されたときにガタツキが生じないような間隔をあけて形成されている。
【００２６】
駆動装置３２は、筐体２２の左上側に設けられており、第１ブラケット５１及び第１駆動モータ５２から構成されている。第１ブラケット５１は、コの字状に折り曲げ成形された板材によって形成されており、水平方向に突出する突出片が上下端に形成されている。また、図示していないが、第１ブラケット５１には、後述する第１駆動ネジ軸５３が挿通される挿通孔が上下の突出片に形成されている。第１駆動モータ５２は、第１駆動ネジ軸５３を備えている。また、第１駆動モータ５２は、下側の突出片５１ａの下方に取り付けられている。このとき、第１駆動モータ５２は、第１駆動ネジ軸５３が突出片５１ａから図示しない上側の突出片に向けて延出するように取り付けられている。第１駆動ネジ軸５３は、軸の円周面にネジ山が設けられており、第１駆動モータ５２の回転駆動によって回転するようになっている。
【００２７】
駆動装置３３は、筐体２２の左下側に設けられており、第２ブラケット５５及び第２駆動モータ５６から構成されている。第２ブラケット５５は、コの字状に折り曲げ成形された板材によって形成されており、水平方向に突出する突出片５５ａ，５５ｂが上下端に形成されている。また、図示していないが、第２ブラケット５５には、後述する第２駆動ネジ軸５７が挿通される挿通孔が突出片５５ａ，５５ｂに形成されている。第２駆動モータ５６は、第２駆動ネジ軸５７を備えている。また、第２駆動モータ５６は、突出片５５ａの上方に取り付けられている。このとき、第２駆動モータ５６は、第２駆動ネジ軸５７が突出片５５ａから突出片５５ｂに向けて延出するように取り付けられている。第２駆動ネジ軸５７は、軸の円周面にネジ山が設けられており、第２駆動モータ５６の回転駆動によって回転するようになっている。
【００２８】
図５に示すように、第２レンズホルダ（レンズホルダ）３５は、第２レンズ（レンズ群）６１を保持する第２レンズ保持枠３５ａと、ガイド軸３９ａ，３９ｂが挿通される第１挿通孔３５ｂ，３５ｃと、第１駆動ネジ軸５３に取り付けられる第２レンズ移動部材３５ｄとから構成されている。第２レンズ保持枠３５ａは筒状に形成されており、その上部に第２レンズ６１が取り付けられるように形成されている。第１挿通孔３５ｂ，３５ｃは、第２レンズ保持枠３５ａから延出する板材に開口している。第１挿通孔３５ｂ，３５ｃは、ガイド軸３９ａ，３９ｂが挿通可能であって、かつガイド軸３９ａ，３９ｂが挿入された時には第２レンズホルダ３５にガタツキが生じないような大きさに形成されている。第２レンズ移動部材３５ｄは、第２レンズホルダ３５が筐体２２に収納されたときに第１駆動ネジ軸５３に嵌め込まれる溝３５ｅが形成されている。この溝３５ｅにはネジ山が設けられており、第１駆動ネジ軸５３と噛み合うことによって第１駆動ネジ軸５３の回転を第２レンズホルダ３５の第２光軸Ｌ２の光軸方向への移動に変換するようになっている。
【００２９】
第３レンズホルダ３６は、シャッタユニット３７の上方に配設されており、その中央には第３レンズ６２が保持されるように構成されている。なお、図示していないが、第３レンズホルダ３６には、シャッタユニット３７に固定されるネジ孔が開口している。第３レンズホルダ３６は、シャッタユニット３７にネジ止めされることによって固定されている。
【００３０】
シャッタユニット３７は、ベース板３７ａ、図示しないシャッタ、及びこのシャッタを駆動する駆動装置３７ｂから構成されている。ベース板３７ａは、その上方には第３レンズホルダ３６が取り付けられ、下方には駆動装置３７ｂが取り付けられている。また、ベース板３７ａには、ガイド軸３９ａ，３９ｂが挿通する第２挿通孔３７ｃ，３７ｄが設けられている。第２挿通孔３７ｃ，３７ｄは、ガイド軸３９ａ，３９ｂが挿入可能な大きさに形成されている。
【００３１】
第４レンズホルダ（レンズホルダ）３８は、第４レンズ（レンズ群）６３を保持する第４レンズ保持枠３８ａと、ガイド軸３９ａ，３９ｂが挿通される第３挿通孔３８ｂ，３８ｃと、第２駆動ネジ軸５７に取り付けられる第４レンズ移動部材３８ｄとから構成されている。第４レンズ保持枠３８ａは筒状に形成されており、その上部に第４レンズ６３が取り付けられるように形成されている。第３挿通孔３８ｂ，３８ｃは、第４レンズ保持枠３８ａから延出する板材に開口している。第３挿通孔３８ｂ，３８ｃは、ガイド軸３９ａ，３９ｂが挿入可能であって、かつガイド軸３９ａ，３９ｂが挿入された時には第４レンズホルダ３８にガタツキが生じないような大きさに形成されている。第４レンズ移動部材３８ｄは、第４レンズホルダ３８が筐体２２に収納されたときに第２駆動ネジ軸５７に嵌め込まれる溝３８ｅが形成されている。この溝３８ｅにはネジ山が設けられており、第２駆動ネジ軸５７と噛み合うことによって第２駆動ネジ軸５７の回転を第４レンズホルダ３８の第２光軸Ｌ２の光軸方向への移動に変換するようになっている。
【００３２】
ガイド軸３９ａ，３９ｂは第１挿通孔３５ｂ，３５ｃ、第２挿通孔３７ｂ，３７ｃ、第３挿通孔３８ｂ，３８ｃに挿通でき、かつ筐体２２に収納されたときには第１案内溝２８ａ，２８ｂ及び第２案内溝２９ａ，２９ｂに挿入できるように形成されている。また、ガイド軸３９ａ，３９ｂは、筐体２２の内部に収納されたときに、上下端部が第１案内溝２８ａ，２８ｂ及び第２案内溝２９ａ，２９ｂによって案内されるような長さを有するように形成されている。
【００３３】
図６に示すように、蓋２３は、凸型を横に傾けた形状に形成された板材で構成されている。また、蓋２３には、筐体２２にネジ止めする際にネジ２４を挿通させる貫通孔２３ａが６箇所に設けられている。蓋２３の背面側には、その下方に突出部材（規制部材）６５ａ，６５ｂが形成されている。これらの突出部材６５ａ，６５ｂは、蓋２３が筐体２２の前面に載置されたときに第１案内溝２８ａ，２８ｂにそれぞれ挿入され、ガイド軸３９ａ，３９ｂを筐体２２の開口部２７側から押さえつけて、ガイド軸３９ａ，３９ｂの移動を規制するように形成されている。また、蓋２３の背面側には、その上方に突出部材（規制部材）６６ａ，６６ｂが形成されている。これらの突出部材６６ａ，６６ｂは、蓋２３が筐体２２の前面に載置されたときに第２案内溝２９ａ，２９ｂに挿入され、かつガイド軸３９ａ，３９ｂを筐体２２の開口部２７側から押さえつけて、ガイド軸３９ａ，３９ｂの移動を規制するように形成されている。
【００３４】
次に、このレンズユニット１３を組み立てる方法について説明する。レンズユニット１３を組み立てる際には、シャッタユニット３７の挿通孔にガイド軸３９ａ，３９ｂを挿通させる。そして、シャッタユニット３７の上方から第２レンズホルダ３５を、シャッタユニット３７の下方から第４レンズホルダ３８をそれぞれ挿通させて組み付ける。
【００３５】
次に、シャッタユニット３７のベース板３７ａをシャッタユニット取付部３０に挿入する。そして、ガイド軸３９ａの上端部を第１案内溝２８ａ、下端部を第２案内溝２９ａに、ガイド軸３９ｂの上端部を第１案内溝２８ｂ、下端部を第２案内溝２９ｂに沿わせながら案内させていき、ガイド軸３９ａを第１当接面２８ｃ及び第２当接面２９ｃに、ガイド軸３９ｂを第１当接面２８ｄ及び第２当接面２８ｄに当接させる。このように、ガイド軸３９ａ，３９ｂを第１当接面２８ｃ，２８ｄ及び第２当接面２９ｃ，２９ｄに当接させることにより、第２光軸Ｌ２と第２レンズ６１、第３レンズ６２及び第４レンズ６３の光軸とが一致するように位置付けられる。この位置までガイド軸３９ａ，３９ｂを移動させた後、第２レンズ移動部材３５ｄに形成されている溝３５ｅを第１駆動ネジ軸５３に、第４レンズ移動部材３８ｄに形成されている溝３８ｅを第２駆動ネジ軸５７に嵌めこむ。これにより、第１駆動モータ５２の回転によって第１駆動ネジ軸５３が回転したときには、第１駆動ネジ軸５３と溝３５ｅに形成されたネジ山とが噛み合って、第２レンズホルダ３５が第２光軸Ｌ２の光軸方向に移動するようになる。同様に、第２駆動モータ５６の回転によって第２駆動ネジ軸５７が回転したときには、第２駆動ネジ軸５７と溝３８ｅに形成されたネジ山とが噛み合って、第４レンズホルダ３８が第２光軸Ｌ２の光軸方向に移動するようになる。
【００３６】
第２レンズホルダ３５等を筐体２２に収納した後、筐体２２の開口部２７を閉塞するように蓋２３を載置する。図７に示すように、蓋２３を筐体２２の前面に載置すると、蓋２３の突出部材６５ａ，６５ｂが第１案内溝２８ａ，２８ｂに、突出部材６６ａ，６６ｂが第２案内溝２９ａ，２９ｂに挿入されて、突出部材６５ａ，６６ａの先端がガイド軸３９ａの側面に、突出部材６５ｂ，６６ｂの先端がガイド軸３９ｂの側面にそれぞれ当接する。そして、ガイド軸３９ａ，３９ｂは、ネジ２４によって蓋２３をネジ止めしたときには、筐体２２の前面側から突出部材６５ａ，６６ａがガイド軸３９ａを、突出部材６５ｂ，６６ｂがガイド軸３９ｂを押さえつけることによりガイド軸３９ａ，３９ｂの移動を規制し、筐体２２の内部に第２レンズホルダ３５等が固定される。
【００３７】
以上のように、本発明によれば、第１当接面及び第２当接面の位置によって第２〜第４レンズ及びシャッタユニットの取付位置が決定されるので、ガイド軸を組み付けたレンズホルダ等を筐体の前面から収納することのみによって第２〜第４レンズ及びシャッタユニットの位置決めが行われる。また、第２〜第４レンズ及びシャッタユニットは、筐体の開口部から第２光軸と垂直な方向に挿入するという簡単な方法によって筐体に収納することができる。したがって、第２〜第４レンズ及びシャッタユニットを筐体内に収納する作業を手作業で行わなくてもよく、機械にも行わせることができるので、作業の効率化を図ることが可能になるとともに、レンズユニットの大量生産をすることが可能になる。また、ガイド軸は、第１案内溝及び第２案内溝によって案内されながら挿入されるので、筐体の内壁面にガイド軸等がぶつかって、筐体を傷つけるような不具合を解消することが可能になる。
【００３８】
なお、本実施形態では、図７に示すように、第１案内溝２８ａ，２８ｂ及び第２案内溝２９ａ，２９ｂをガイド軸３９ａ，３９ｂにガタツキが生じないような幅に形成しているが、この幅は上記のように限定されるものではない。例えば、図８に示すように、案内溝７１の形状をＶ字状に形成して、筐体２２の前面側の案内溝７１の幅Ｈ1をガイド軸７２の軸径Ｄ1より広くしてもよい。案内溝をこのように形成することによって、ガイド軸を案内溝に挿入させやすくすることができる。なお、この場合には、突出部材（規制部材）７３は、蓋２３がネジ止めされた時にガイド軸７２にガタツキが生じないようにできれば、その断面形状が矩形であってもよいし、案内溝７１の形状に合わせてＶ字状にしてもよい。また、これ以外の形状であってもよい。
【００３９】
また、本実施形態では、第１当接面２８ｃ，２８ｄ及び第２当接面２９ｃ，２９ｄの幅とガイド軸の軸径とが略同一になるように形成しているが、図９に示すように、当接面８１の幅Ｈ2とガイド軸８２の軸径Ｄ2との関係がＤ2＜Ｈ2となるように形成してもよい。このように当接面８１を形成することによって、ガイド軸８２の取り付け位置を調節する余裕を持たせることができるので、第２光軸Ｌ２と第２レンズ、第３レンズ及び第４レンズの光軸との間にズレが生じた場合に、これを調節することが可能になる。なお、位置調整が完了した場合には、ガイド軸と当接面との間に生じるスペースは接着剤８５等で埋めておき、蓋２３に形成された突出部材（規制部材）８３によってガイド軸８２を固定しておけばよい。なお、この場合には、突出部材は、蓋がネジ止めされた時にガイド軸にガタツキが生じないようにできれば、その形状は問わないことは勿論である。
【００４０】
また、本実施形態では、反射部材としてプリズムを用いたが、反射部材としては、例えばミラーを用いる等、被写体光を屈曲させることが可能であれば適宜部材を用いてよい。
【００４１】
また、本実施形態では、デジタルカメラに本発明を適用した例について説明したが、例えば被写体光を写真フィルムに露光する写真カメラに本発明を適用してもよい。
【図面の簡単な説明】
【００４２】
【図１】本発明を適用したデジタルカメラの外観を表した外観斜視図である。
【図２】デジタルカメラの背面からの外観を表した外観斜視図である。
【図３】レンズユニットの構成を表した斜視図である。
【図４】筐体の構成を表した斜視図である。
【図５】筐体に収納される第２レンズホルダ等各種部品の構成を表した分解斜視図である。
【図６】蓋の背面側の構成を表した斜視図である。
【図７】蓋がネジ止めされた時の突出部材と案内溝、ガイド軸の関係を表した説明図である。
【図８】案内溝の形状を変形させた第１の変形例を適用した場合における突出部材と案内溝、当接面、ガイド軸の関係を表した説明図である。
【図９】当接面の形状を変形させた第２の変形例を適用した場合における突出部材と案内溝、当接面、ガイド軸の関係を表した説明図である。
【符号の説明】
【００４３】
１３  レンズユニット
２２  筐体
２３  蓋
２７  開口部
２８ａ，２８ｂ  第１案内溝（案内部材、案内溝）
２８ｃ，２８ｄ  第１当接面（第１保持部）
２９ａ，２９ｂ  第２案内溝（案内部材、案内溝）
２９ｃ，２９ｄ  第２当接面（第１保持部）
３０  シャッタユニット取付部（第２保持部）
３５  第２レンズホルダ（レンズホルダ）
３７  シャッタユニット
３８  第４レンズホルダ（レンズホルダ）
３９ａ，３９ｂ，７２，８２（ガイド軸）
６２  第２レンズ（レンズ群）
６３  第４レンズ（レンズ群）
６５ａ，６５ｂ，６６ａ，６６ｂ，７３，８３（規制部材）
７１  案内溝（案内部材、案内溝）
８１  当接面（第１保持部）
Ｌ１  第１光軸
Ｌ２  第２光軸
【図１】
2007108510.tif 000003
【図２】
2007108510.tif 000004
【図３】
2007108510.tif 000005
【図４】
2007108510.tif 000006
【図５】
2007108510.tif 000007
【図６】
2007108510.tif 000008
【図７】
2007108510.tif 000009
【図８】
2007108510.tif 000010
【図９】
2007108510.tif 000011